(57)【要約】【課題】バッテリの脱落を防止するとともに、ビデオカメラのコンパクト化を図ったビデオカメラのバッテリ収納機構を提供する。【解決手段】ビデオカメラ本体２に液晶表示ユニット５が開閉可能に設けられ、且つバッテリ１１が装着可能なビデオカメラ１において、液晶表示ユニット５が設けられたビデオカメラ本体２のカメラ部３の左側面３ｃに、バッテリ１１を収納可能なバッテリ収納部１２を形成し、液晶表示ユニット５がビデオカメラ本体２側に閉じた状態で、液晶表示ユニット５でバッテリ収納部１２を覆うようにしたものとする。【選択図】      図１
2005039341.tif 000002
【特許請求の範囲】
【請求項１】
ビデオカメラ本体の一側面に液晶表示部が開閉可能に設けられ、且つバッテリが装着可能なビデオカメラにおいて、
液晶表示部が設けられたビデオカメラ本体の一側面側に、バッテリをその一側面側よりビデオカメラ本体内に収納可能なバッテリ収納部を形成し、
液晶表示部をビデオカメラ本体側に閉じた状態で、該液晶表示部によりバッテリ収納部を覆うことを特徴とするビデオカメラのバッテリ収納機構。
【請求項２】
バッテリと対向するバッテリ収納部の周壁部の一部に、外部と連通可能な開口部を形成し、該開口部を通ってバッテリの出し入れを可能としたことを特徴する請求項１に記載のビデオカメラのバッテリ収納機構。
【発明の詳細な説明】
【０００１】
【発明の属する技術分野】
本発明は、バッテリ収納機構に関し、特に、液晶表示画面を備えたビデオカメラのバッテリ収納機構に関するものである。
【０００２】
【従来の技術】
近年、ビデオカメラにおいて、撮影時や再生時に手軽に映像を確認できる液晶画面を備え、かつ、バッテリを備えて携帯性に優れたビデオカメラが普及している。従来のビデオカメラのバッテリの装着は、取扱いが容易なことからビデオカメラ本体の一側面に露出した状態で装着する方式が多く採用されている。
【０００３】
しかしながら、従来の方式によると、ビデオカメラ本体にバッテリを装着した場合、バッテリがビデオカメラ本体から突出するため、操作時や携帯時に不用意に物にぶつかったり、誤操作によりバッテリが脱落する等の問題点があった。
【０００４】
そこで、上述した問題点の対策として、バッテリがビデオカメラ本体から突出しないようにビデオカメラ本体に収納するようにしたものが知られている。
【０００５】
例えば、ビデオカメラ本体を側方より掴むようにして保持するグリップ状体を備えたビデオカメラであって、そのビデオカメラ本体を、グリップ状体を含む構造体とそれ以外の部分とに２分割する構成として、グリップ状体を含む構造体の内部にバッテリ収納部を設けたものが提案されている（特許文献１を参照）。
【０００６】
また、その他の例として、前面部に撮影レンズ用開口部を有する電子カメラにおいて、電子カメラ本体のグリップ部の背面部側内部に電池収納部を設けたものが提案されている（特許文献２を参照）。
【０００７】
【特許文献１】
特開平２−２７６３７４号公報（第１−４頁、図２、図４）
【特許文献２】
特開平１１−３５５６２６号公報（第１−６頁、図１）
【０００８】
【発明が解決しようとする課題】
しかしながら、特許文献１に記載の発明のような方式は、グリップ状体を含む構造体の内部にバッテリ収納部を形成することで、その構造体が外側に突出する部分をグリップ部として有効利用しているが、実質的にビデオカメラ自体が大型化するという問題点があった。
【０００９】
また、特許文献２に記載の発明のような方式においても、電子カメラ本体の内部に電池収納部を形成するため、電子カメラ自体が大型化するという問題点があった。
【００１０】
本発明は、上記従来の問題点に鑑みてなされたものであり、バッテリの脱落を防止するとともに、ビデオカメラのコンパクト化を図ったビデオカメラのバッテリ収納機構を提供することを目的とするものである。
【００１１】
【課題を解決するための手段】
本発明は、ビデオカメラのバッテリ収納機構に係り、ビデオカメラ本体の一側面に液晶表示部が開閉可能に設けられ、且つバッテリが装着可能なビデオカメラにおいて、液晶表示部が設けられたビデオカメラ本体の一側面側に、バッテリをその一側面側よりビデオカメラ本体内に収納可能なバッテリ収納部を形成し、液晶表示部をビデオカメラ本体側に閉じた状態で、該液晶表示部によりバッテリ収納部を覆うようにしたことを特徴とするものである。
【００１２】
このように構成することで、バッテリをビデオカメラ本体の内部に収納でき、液晶表示部を非使用時にビデオカメラ本体側に閉じた状態で、バッテリの一側面、例えば、バッテリの最大投影面を液晶表示部に合わせるように配置することで、該液晶表示部をバッテリ収納部の蓋として兼用することができ、また、バッテリの脱落を防止することができるとともに、ビデオカメラのコンパクト化を図ることができる。
【００１３】
また、バッテリと対向するバッテリ収納部の周壁部の一部、例えば、ファインダ側の一側面やビデオカメラ本体の底部に相当する側面に、外部と連通可能な開口部を形成し、該開口部を通ってバッテリの出し入れを可能とすることが好ましい。
【００１４】
このように構成することで、液晶表示部を閉じた状態でも、ビデオカメラ本体内部からバッテリをスライドさせて取り出したり、装着したりすることが容易にできる。
【００１５】
【発明の実施の形態】
以下、本発明の実施の形態について、図面を参照して詳細に説明する。
図１〜図６は発明を実施する形態の一例であって、図１は本発明に係る実施形態のビデオカメラの液晶表示部を開いた状態の全体構成を示す斜視図、図２は前記ビデオカメラの液晶表示部を収納した状態の全体構成を示す斜視図、図３は前記ビデオカメラにバッテリを装着する方法を示す説明図、図４は前記ビデオカメラのバッテリロック機構の構成を示す説明図、図５は前記ビデオカメラの液晶表示部側から見た側面図、図６は図５のＡ−Ａ断面矢視図である。
【００１６】
本実施形態は、図１、図２に示すように、主に、前後方向に長く幅方向の短い略箱形状を呈したカメラ部３とビデオ部４とにより構成されるビデオカメラ本体２と、該ビデオカメラ本体２に一体的に設けられて撮影時または再生時に画像を表示可能な液晶表示ユニット５とを備えたビデオカメラ１である。
【００１７】
前記カメラ部３は、上部を前後方向に沿って略円弧状断面形状に形成されるとともに、前側面３ａの上側寄りにレンズ部６が設けられ、後側面３ｂの上側寄りにファインダ部７が設けられている。また、前側に向かって幅方向右側面側にはビデオ部４が並設され、左側面３ｃには液晶表示ユニット５が開閉可能に設けられている。
ここで、前側とはカメラ部３においてレンズ部６が設けられている側とし、後側とはカメラ部３においてファインダ部７が設けられた側とする。
【００１８】
前記液晶表示ユニット５は、略矩形状で薄型の平板形を呈し、一側面に矩形状の液晶画面５ａが設けられている。該液晶表示ユニット５の一端縁５ｂには支持部５ｂ１が設けられ、カメラ部３の左側面３ｃの前側に該支持部５ｂ１を支点として、液晶表示ユニット５の他端縁５ｃ側が後側から左側方に開放可能に設けられている。
【００１９】
液晶表示ユニット５を開放した状態では、液晶画面５ａが後側に向かい且つ左側面３ｃに対して略垂直に位置するようになっている。一方、液晶表示ユニット５を使用しない時には、液晶画面５ａが左側面３ｃと対向するように液晶表示ユニット５を左側面３ｃに重ね合わせて収納するようになっている。
【００２０】
カメラ部３の左側面３ｃは、図３に示すように、液晶表示ユニット５と対向する部分が平面視で液晶表示ユニット５と略同様な形状で形成されるとともに、バッテリ１１が収納されるバッテリ収納部１２が平面視で矩形状に凹設されている。そのバッテリ収納部１２の開口部１２ａは、液晶表示ユニット５の投影面積よりも小さく形成されている。
【００２１】
バッテリ１１は、外観を厚さ方向が薄く構成された箱形で形成され、その厚さ方向の一側面１１ａには後記するロック爪１５ａにより保持されるロック部１１ａ１が凹設されている。
【００２２】
バッテリ収納部１２は、バッテリ１１と略同形状に凹んだ形状に形成され、図４、図５、図６に示すように、その開口部１２ａの外縁付近には収納されたバッテリ１１をバッテリ収納部１２内に保持するためのバッテリロック機構１５が設けられている。
【００２３】
前記バッテリロック機構１５は、図４に示すように、バッテリ１１を保持するためのロック爪１５ａと、そのロック爪１５ａを動作させる取外しツマミ１５ｂとにより構成されている。
【００２４】
ロック爪１５ａは、図６に示すように、バッテリ１１に形成されたロック部１１ａ１に係合して保持する略Ｌ字状の爪部１５ａ１を備え、ロック爪１５ａをロック方向（図中の上方）に操作するとバッテリ１１のロック部１１ａ１に爪部１５ａ１のＬ字状の部分が係合し、バッテリ１１が開口部１２ａ方向に移動しないようになっている。
【００２５】
前記ビデオ部４は、図２に示すように、上部に操作部１３が配置され、前側に向かい右側面４ｄにはグリップベルト９が設けられている。また、ビデオ部４の後側面４ｂにはＯＮ／ＯＦＦスイッチ１４が配置されている。
【００２６】
ビデオカメラ１を操作する際には、グリップベルト９に右手を通してビデオ部４を上下に掴むとともに、グリップベルト９により右手にビデオ部４を押し付け、右手の親指でＯＮ／ＯＦＦスイッチ１４を操作し、その他の指で上部の操作部１３を操作して光学系の動作を行うようになっている。
【００２７】
ここで、ビデオカメラ１の使用時と非使用の状態について説明する。
図７〜図１０は本実施形態に係るビデオカメラの外観を示すものであって、図７は前記ビデオカメラの非使用時の状態を示す液晶表示部側から見た側面図、図８は図７のＢ矢視図、図９は前記ビデオカメラの使用時の状態を示す液晶表示部側から見た側面図、図１０は図９のＣ矢視図である。
【００２８】
ビデオカメラ１を使用しない場合は、図７、図８に示すように、液晶表示ユニット５は、液晶画面５ａをカメラ部３側に向けて左側面３ｃに重ね合わせた状態で収納されている。この時、バッテリ１１はビデオカメラ本体２から露出していない。
【００２９】
一方、ビデオカメラ１を使用する際に液晶画面５ａを用いる場合は、図９、図１０に示すように、液晶表示ユニット５を、液晶画面５ａが後側に向かい且つ左側面３ｃに対して略垂直に位置するよう開放する。この時、バッテリ１１はカメラ部３の左側面３ｃから露出した状態となる。
そして、ファインダ７を後方に引き出してカメラ部３から離間させ、ファインダ７から覗き込む際にビデオカメラ本体２が邪魔にならないようにする。
【００３０】
ビデオカメラ１は、この状態で撮影可能となるが、本実施形態においては、バッテリロック機構１５によりバッテリ１１をカメラ部３内部に確実に保持しているため、撮影時にビデオカメラ１を如何なる方向に傾けてもバッテリ１１が脱落することがない。
【００３１】
次に、本実施形態のビデオカメラのバッテリ収納操作について、図面を参照して説明する。
【００３２】
ビデオカメラ１にバッテリ１１を収納する場合は、図３に示すように、液晶表示ユニット５を開放し、バッテリ収納部１２の開口部１２ａを露出させる。
そして、バッテリ１１の最大投影面積を有する一側面１１ｂを外側に向け、且つ左側面３ｃと略平行な状態でバッテリ収納部１２内に収納する。
【００３３】
そして、図５に示すように、バッテリロック機構１５のツマミ１５ｂを図中の上方に操作して、バッテリ１１をバッテリ収納部１２内に固定する。
【００３４】
液晶表示ユニット５を左側面３ｃに対向させて閉じることで、バッテリ収納部１２の開口部１２ａ及びバッテリ１１を覆い、ビデオカメラ１へのバッテリ１１の収納が完了する。
すなわち、液晶表示ユニット５がバッテリ収納部１２の蓋を兼用している。
【００３５】
以上のように構成したので、本実施形体によれば、カメラ部３の内部にバッテリ１１を収納できるので、従来のバッテリ外付け式のビデオカメラと比較してコンパクト化することができる。また、バッテリ１１がビデオカメラ本体２から突出していないため、操作時や携帯時に不用意に物にぶつかったり、誤操作等によりバッテリ１１が脱落することがない。
【００３６】
また、本実施形態によれば、バッテリ収納部１２にバッテリロック機構１５を設けたので、バッテリ１１をバッテリ収納部１２に確実に保持することができるとともに、バッテリ収納部１２の蓋を兼用する液晶表示ユニット５を開放して操作する場合でも、バッテリ１１の脱落を防止できる。
【００３７】
なお、本実施形態では、ビデオカメラ１へのバッテリ１１の装着や取り外し操作を、カメラ部３の左側面３ｃに形成されたバッテリ収納部１２の開口部１２ａより行っているが、本発明は、バッテリの着脱方法をこれに限定するものではない。
【００３８】
例えば、本実施形態の変形例として、図１１、図１２に示すように、ビデオカメラ本体の後側面や底面よりバッテリを着脱するようにしたものであっても良い。
【００３９】
変形例１は、図１１に示すように、前後方向に長く幅方向の短い略箱形状を呈したカメラ部１０３とビデオ部１０４とにより構成されるビデオカメラ本体１０２と、該ビデオカメラ本体１０２に一体的に設けられて撮影時または再生時に画像を表示可能な液晶表示ユニット１０５とを備えたビデオカメラ１０１であって、カメラ部１０３の後側面１０３ｂに、バッテリ１１１をカメラ部１０３の内部より着脱可能にする開口部１１２ａを形成したものである。
カメラ部１０３の内部にはバッテリ収納部１１２が形成されている。
なお、ビデオカメラ１０１の基本構成は、前述した実施形態のビデオカメラ１と同様な構成要素を備えているため、前記実施形態を参照することで説明は省略する。
【００４０】
このように構成することで、液晶表示ユニット１０５を閉じた状態でも、開口部１１２ａよりカメラ部１０３内部からバッテリ１１１をスライドさせて取り出したり、装着したりすることが容易にできる。
【００４１】
変形例２は、図１２に示すように、前後方向に長く幅方向の短い略箱形状を呈したカメラ部２０３とビデオ部２０４とにより構成されるビデオカメラ本体２０２と、該ビデオカメラ本体２０２に一体的に設けられて撮影時または再生時に画像を表示可能な液晶表示ユニット２０５とを備えたビデオカメラ２０１であって、カメラ部２０３の底面２０３ｄに、バッテリ２１１をカメラ部２０３の内部より着脱可能にする開口部２１２ａを形成したものである。
カメラ部２０３の内部には図示しないバッテリ収納部が形成されている。
【００４２】
なお、ビデオカメラ２０１の基本構成は、前述した実施形態のビデオカメラ１と同様な構成要素を備えているため、前記実施形態を参照することで説明は省略する。
【００４３】
このように構成することで、変形例１と同様に、液晶表示ユニット２０５を閉じた状態でも、開口部２１２ａよりカメラ部２０３内部からバッテリ２１１をスライドさせて取り出したり、装着したりすることが容易にできる。
【００４４】
【発明の効果】
以上、説明したように本発明のビデオカメラのバッテリ収納機構によれば、簡単な構成でバッテリの脱落を防止できるとともに、ビデオカメラのコンパクト化を図ることができるという優れた効果を奏し得る。
【００４５】
詳しくは、本発明によれば、開閉可能な液晶表示部が設けられたビデオカメラ本体の一側面側に、バッテリをその一側面側よりビデオカメラ本体内に収納可能なバッテリ収納部を形成することで、バッテリをビデオカメラ本体の内部に収納できるので、ビデオカメラをコンパクトにすることができる。また、液晶表示部をビデオカメラ本体側に閉じた状態で、該液晶表示部によりバッテリ収納部を覆うようにしたことで、液晶表示部をバッテリ収納部の蓋として兼用することができ、構成部品を削減できるとともに、携行中にバッテリが脱落することを防止することができる。
【００４６】
また、バッテリと対向するバッテリ収納部の周壁部の一部、例えば、ファインダ側の一側面やビデオカメラ本体の底部に相当する側面に、外部と連通可能な開口部を形成することで、液晶表示部を閉じた状態でも、ビデオカメラ本体内部からバッテリをスライドさせて取り出したり、装着したりすることが容易にできる。
【図面の簡単な説明】
【図１】本発明に係る実施形態のビデオカメラの液晶表示部を開いた状態の全体構成を示す斜視図である。
【図２】前記ビデオカメラの液晶表示部を収納した状態の全体構成を示す斜視図である。
【図３】前記ビデオカメラにバッテリを装着する方法を示す説明図である。
【図４】前記ビデオカメラのバッテリロック機構の構成を示す説明図である。
【図５】前記ビデオカメラの液晶表示部側から見た側面図である。
【図６】図５のＡ−Ａ断面矢視図である。
【図７】前記ビデオカメラの非使用時の状態を示す液晶表示部側から見た側面図である。
【図８】図７のＢ矢視図である。
【図９】前記ビデオカメラの使用時の状態を示す液晶表示部側から見た側面図である。
【図１０】図９のＣ矢視図である。
【図１１】本実施形態の変形例１におけるビデオカメラの構成を示す斜視図である。
【図１２】本実施形態の変形例２におけるビデオカメラの構成を示す斜視図である。
【符号の説明】
１、１０１、２０１  ビデオカメラ
２、１０２、２０２  ビデオカメラ本体
３、１０３、２０３  カメラ部
３ｃ  左側面
４、１０４、２０４  ビデオ部
５、１０５、２０５  液晶表示ユニット
５ａ  液晶画面
１１、１１１、２１１  バッテリ
１１ａ１  ロック部
１２、１１２  バッテリ収納部
１２ａ、１１２ａ、２１２ａ  開口部
１５  バッテリロック機構
１５ａ  ロック爪
１５ａ１  爪部
１５ｂ  ツマミ
１０３ｂ  後側面
２０３ｄ  底面
【図１】
2005039341.tif 000003
【図２】
2005039341.tif 000004
【図３】
2005039341.tif 000005
【図４】
2005039341.tif 000006
【図５】
2005039341.tif 000007
【図６】
2005039341.tif 000008
【図７】
2005039341.tif 000009
【図８】
2005039341.tif 000010
【図９】
2005039341.tif 000011
【図１０】
2005039341.tif 000012
【図１１】
2005039341.tif 000013
【図１２】
2005039341.tif 000014